(57)【要約】【課題】  ユーザー自身を撮影するときも、ユーザー以外の物や人を撮影するときも、画像表示部にこれから撮影する画像を表示させて、ユーザーが画像表示部に表示されている画像を見ながら撮影動作を行うことができると共に、カメラを容易に交換することができる携帯端末装置及びカメラモジュールを提供する。【解決手段】  ２つの筐体１０２，１０４がそれぞれの一端を連結部１０５を介して開閉自在に連結された携帯端末装置１００であって、画像表示部１０６と、撮像窓を備えたカメラモジュール１１０と、一方の筐体１０４の連結部１０５と反対側の端部に設けられ、一方の筐体１０４にカメラモジュール１１０を脱着可能、かつ２つの筐体１０２，１０４を閉状態とした際に内側となる方向および外側となる方向のいずれかが撮像方向になるよう裏返して差し替え接続可能にする接続部Ｈ１，Ｈ２と、カメラモジュール１１０との間で信号の送受を行う制御部１０７とを有する。【選択図】      図１
2005150960.tif 000002
【特許請求の範囲】
【請求項１】
２つの筐体がそれぞれの一端を連結部を介して開閉自在に連結された携帯端末装置であって、
前記携帯端末装置は、
画像表示部と、
撮像窓を備えたカメラモジュールと、
一方の筐体の連結部と反対側の端部に設けられ、前記一方の筐体に前記カメラモジュールを脱着可能、かつ前記２つの筐体を閉状態とした際に内側となる方向および外側となる方向のいずれかが撮像方向になるよう裏返して差し替え接続可能にする接続部と、
前記カメラモジュールとの間で信号の送受を行う制御部と、
を有し、
前記接続部により前記一方の筐体にカメラモジュールが接続された状態で前記２つの筐体を閉状態とし、撮像方向が内側となるようカメラモジュールが接続されているとき、他方の筐体の前記連結部と反対側の先端部が前記撮像窓を覆う
ことを特徴とする携帯端末装置。
【請求項２】
前記制御部は、
前記接続部に接続される前記カメラモジュールの撮像方向を判定し、
前記画像表示部の画像表示方向を制御する
ことを特徴とする請求項１に記載の携帯端末装置。
【請求項３】
前記接続部には複数のプラグが電気的に接続され、
該複数のプラグは少なくとも、
前記制御部と前記カメラモジュールとの間で信号伝送を行う信号用ラインと、
前記筐体に対するカメラモジュールの前記撮像方向を示す検出用ラインと、
を備え、
前記複数のプラグは、
前記カメラモジュールを裏返し接続する際に互いに対応するプラグ同士で対称的に配置されると共に、
少なくとも前記検出用ラインは前記プラグ同士で異なる特性を有し、当該異なる検出用ラインが前記制御部に電気的に判別されることにより前記撮像方向の判定を行う
ことを特徴とする請求項２に記載の携帯端末装置。
【請求項４】
前記接続部は、前記撮像方向を変更して接続する際に互いに接続位置が入れ替わるよう対称的に配置される複数のプラグにより電気的に接続され、
前記複数のプラグは少なくとも、
前記制御部と前記カメラモジュールとの間で信号伝送を行う信号用ラインと、
前記筐体に対するカメラモジュールの前記撮像方向を示す検出用ラインと、
を備え、
少なくとも前記検出用ラインは、
前記撮影方向を変更して接続する際に互いに対応するプラグ同士で対称的に配置されると共に、
対応するプラグのライン同士で異なる特性を有し、当該異なる特性が前記制御部に電気的に判別されることにより前記撮像方向の判定を行う
ことを特徴とする請求項２に記載の携帯端末装置。
【請求項５】
前記異なる特性は、ＧＮＤラインとＯＰＥＮラインであることを特徴とする請求項３又は４に記載の携帯端末装置。
【請求項６】
前記カメラモジュールは、
該カメラモジュールの性能情報を記録する性能情報記録手段を有し、
前記カメラモジュールが前記筐体に接続されたときに前記制御部に前記性能情報を出力すると共に、
前記制御部は、
前記画像表示部に撮影画像を表示する際、前記性能情報に適した画像処理を行う
ことを特徴とする請求項１ないし５のいずれか一に記載の携帯端末装置。
【請求項７】
前記制御部は、前記閉状態において前記撮像方向が２つの筐体の内側向きであると判定すると、前記カメラモジュールの撮影不可を警告するよう制御することを特徴とする請求項１に記載の携帯端末装置。
【請求項８】
前記制御部は、
前記閉状態において、
前記撮像方向が２つの筐体の内側向きであると判定した場合、
および／または、
前記カメラモジュールが接続されていないと判定した場合に、
前記カメラモジュールの撮影不可を警告するよう制御する
ことを特徴とする請求項１に記載の携帯端末装置。
【請求項９】
前記カメラモジュールは、撮影補助光源を有し、
前記制御部は、
前記接続部に接続される前記カメラモジュールの撮像方向を判定し、
前記撮影補助光源の光量を変更するよう制御する
ことを特徴とする請求項１に記載の携帯端末装置。
【請求項１０】
携帯端末装置に対し少なくとも２つの接続方向で接続して撮影可能なカメラモジュールであって、
接続方向を変更して接続する際に互いに接続位置が入れ替わるよう対称的に配置される複数のプラグを備え、
前記複数のプラグは、
信号伝送を行う信号用ラインと前記接続方向を特定する検出用ラインとを含み、
少なくとも前記検出用ラインは、前記接続方向を変更して接続する際に互いに対応するプラグのライン同士で異なる特性を有する
ことを特徴とするカメラモジュール。
【発明の詳細な説明】
【技術分野】
【０００１】
本発明は、携帯電話機などの携帯端末装置に関し、特にその操作性等を向上させた携帯端末装置に関するものである。
【背景技術】
【０００２】
従来から、カメラを使用することができる携帯電話機などの携帯端末装置があった（特許文献１参照）。
【０００３】
例えば、図８は携帯電話機２０の開いた状態を示す正面図である。この携帯電話機２０は、ＬＣＤ表示部２２（画像表示部）を有する第１筐体２４と、各種操作ボタン２６を有する第２筐体２８が、ヒンジ部３０を介して折り曲げ自在に連結されている。また、第１筐体２４にはイヤースピーカ３２が設けられ、第２筐体２８には通話用のマイクロホン３４が設けられている。
【０００４】
図９は上記携帯電話機２０の背面を示す図であり、その携帯電話機２０の第１筐体２４の背面の、ヒンジ部３０の近傍部にはカメラ３６が設けられている。このような携帯電話機２０を、第１の従来例ということにする。
【０００５】
図１０は、第２の従来例に係る携帯電話機４０の背面を示す図である。この携帯電話機４０の第１筐体２４の背面には、上記第１の従来例に係る携帯電話機２０の第１筐体２４の背面のようにカメラ３６が設けられているのみならず、図８のＬＣＤ表示部２２よりも少ない情報を表示することができる、ＬＣＤ表示部２２よりも小さい補助表示部４２が共に設けられているものである。
【０００６】
図１１は、第３の従来例に係る携帯電話機５０の背面を示す図である。この携帯電話機５０の第１筐体２４の背面には、上記第２の従来例に係る携帯電話機４０の第１筐体２４のような補助表示部４２は無いが、カメラ３６の隣接部にミラー５２が設けられているものである。
【０００７】
図１２は、第４の従来例に係る携帯電話機６０を示す正面図である。図１２に示す携帯電話機６０のＬＣＤ表示部２２とヒンジ部３０との間にはカメラ３７が設けられていると共に、図９と同様携帯電話機６０の背面には、もう１つの別のカメラが設けられているので、携帯電話機６０は裏と表で合計２つのカメラを有しているものである。
【０００８】
図１３と１４は、第５の従来例に係る携帯電話機７０を示す正面図と背面図である。図１３において、この携帯電話機７０のＬＣＤ表示部２２とヒンジ部３０との間には回転カメラ７２が設けられ、この回転カメラ７２は、第１筐体２４の正面側と背面側の両側に覗くように設けられている。
【０００９】
回転カメラ７２は、ヒンジ部３０の折れ曲り軸線と平行な軸線の周りに回転可能となっており、携帯電話機７０の正面に対向するユーザー自身を撮影できるだけでなく、それから回転カメラ７２を１８０°回転させることにより、携帯電話機７０の背面に対向する物や人をも撮影できるようになっている。
【００１０】
図１５は、第６の従来例に係る携帯電話機８０を示す正面図である。この従来例に係る携帯電話機８０は、その第１筐体２４のジャックに接続して取り付けたカメラモジュール８２により、物や人を撮影できるようになっているものである。
【００１１】
カメラモジュール８２はその首部８４で１８０°位回転及び停止できるので、携帯電話機８０の正面に対向するユーザー自身を撮影できるだけでなく、それからカメラモジュール８２を１８０°回転させることにより、携帯電話機８０の背面に対向する物や人をも撮影できるようになっている。
【００１２】
【特許文献１】特開平１１−１６４２７３号公報
【発明の開示】
【発明が解決しようとする課題】
【００１３】
しかしながら、上記第１の従来例に係る携帯電話機２０にあっては、カメラ３６が第１筐体２４の裏側にあるので、そのカメラ３６をユーザー自身に向けるとＬＣＤ表示部２２がユーザーと反対側に向いてしまうため、ユーザーはＬＣＤ表示部２２に映るユーザー自身を見ながら自分を撮影することができないという問題があった。
【００１４】
また、上記第２の従来例に係る携帯電話機４０にあっては、第１筐体２４の裏側にカメラ３６と共に設けた補助表示部４２に映る被写体を見ながら撮影することもできるが、補助表示部４２はＬＣＤ表示部２２よりも大きさが小さいので、撮影したい画像を全部表示することができないか、又はできても画像が小さくなって見にくくなるという問題があった。
【００１５】
また、上記第３の従来例に係る携帯電話機５０にあっては、第１筐体２４の裏側にカメラ３６と共にそれに隣接するミラー５２が設けられているので、ミラー５２にユーザー自身を映しながらユーザーを撮影できるようになってはいるが、第１筐体２４の正面側のＬＣＤ表示部２２を見ながらユーザー自身を撮影することができない点において、はなはだ使い勝手が悪いという問題があった。
【００１６】
また、上記第４の従来例に係る携帯電話機６０にあっては、第１筐体２４の表裏両側にカメラが設けられているので、ユーザー自身を撮影するときも、ユーザー以外のものを撮影するときも、ＬＣＤ表示部２２に被写体を表示させてそれをユーザーが見ることが可能ではあるが、部品点数が増えてコストアップを招くという問題があった。
【００１７】
また、上記第５の従来例に係る携帯電話機７０にあっては、第１筐体２４の表裏両側に向けることのできる回転カメラ７２が設けられているので、携帯電話機７０の組立工数、材料コスト、重量等の増加、部品レイアウトの自由度の低下などの問題があった。
【００１８】
また、上記第６の従来例に係る携帯電話機８０にあっては、カメラモジュール８２が第１筐体２４から突き出した状態となり、デザイン上のみならず取扱い上においても問題があった。すなわち、カメラモジュール８２が外部接続なので万が一ユーザーが携帯電話機８０を落下させた場合は、第１筐体２４から局部的に突き出しているカメラモジュール８２そのものが破損してしまう危険性が非常に大きいという問題がある。
【００１９】
そこで本発明は、上記問題点に鑑みて、簡単な構成により、ユーザー自身を撮影するときも、ユーザー以外の物や人を撮影するときも、画像表示部にこれから撮影する画像を表示させて、ユーザーが画像表示部に表示されている画像を見ながら撮影動作を行うことができる携帯端末装置及びカメラモジュールを提供することを課題とするものである。
【課題を解決するための手段】
【００２０】
上記課題を解決するために、本発明の携帯端末装置は、
２つの筐体がそれぞれの一端を連結部を介して開閉自在に連結された携帯端末装置であって、
前記携帯端末装置は、
画像表示部と、
撮像窓を備えたカメラモジュールと、
一方の筐体の連結部と反対側の端部に設けられ、前記一方の筐体に前記カメラモジュールを脱着可能、かつ前記２つの筐体を閉状態とした際に内側となる方向および外側となる方向のいずれかが撮像方向になるよう裏返して差し替え接続可能にする接続部と、
前記カメラモジュールとの間で信号の送受を行う制御部と、
を有し、
前記接続部により前記一方の筐体にカメラモジュールが接続された状態で前記２つの筐体を閉状態とし、撮像方向が内側となるようカメラモジュールが接続されているとき、他方の筐体の前記連結部と反対側の先端部が前記撮像窓を覆うことを特徴とするものである。
【００２１】
また本発明の携帯端末装置は、
前記制御部は、
前記接続部に接続される前記カメラモジュールの撮像方向を判定し、
前記画像表示部の画像表示方向を制御するようにすることが好ましい。
【００２２】
また本発明の携帯端末装置は、
前記接続部には複数のプラグが電気的に接続され、
該複数のプラグは少なくとも、
前記制御部と前記カメラモジュールとの間で信号伝送を行う信号用ラインと、
前記筐体に対するカメラモジュールの前記撮像方向を示す検出用ラインと、
を備え、
前記複数のプラグは、
前記カメラモジュールを裏返し接続する際に互いに対応するプラグ同士で対称的に配置されると共に、
少なくとも前記検出用ラインは前記プラグ同士で異なる特性を有し、当該異なる検出用ラインが前記制御部に電気的に判別されることにより前記撮像方向の判定を行うようにすることが好ましい。
【００２３】
また本発明の携帯端末装置は、
前記接続部は、前記撮像方向を変更して接続する際に互いに接続位置が入れ替わるよう対称的に配置される複数のプラグにより電気的に接続され、
前記複数のプラグは少なくとも、
前記制御部と前記カメラモジュールとの間で信号伝送を行う信号用ラインと、
前記筐体に対するカメラモジュールの前記撮像方向を示す検出用ラインと、
を備え、
少なくとも前記検出用ラインは、
前記撮影方向を変更して接続する際に互いに対応するプラグ同士で対照的に配されると共に、
対応するプラグのライン同士で異なる特性を有し、当該異なる特性が前記制御部に電気的に判別されることにより前記撮像方向の判定を行うようにすることが好ましい。
【００２４】
また本発明の携帯端末装置は、前記異なる特性は、ＧＮＤラインとＯＰＥＮラインであるようにすることが好ましい。
【００２５】
また本発明の携帯端末装置は、
前記カメラモジュールは、
該カメラモジュールの性能情報を記録する性能情報記録手段を有し、
前記カメラモジュールが前記筐体に接続されたときに前記制御部に前記性能情報を出力すると共に、
前記制御部は、
前記画像表示部に撮影画像を表示する際、前記性能情報に適した画像処理を行うようにすることが好ましい。
【００２６】
また本発明の携帯端末装置は、前記制御部は、前記閉状態において前記撮像方向が２つの筐体の内側向きであると判定すると、前記カメラモジュールの撮影不可を警告するよう制御するようにすることが好ましい。
【００２７】
また本発明の携帯端末装置は、
前記制御部は、
前記閉状態において、
前記撮像方向が２つの筐体の内側向きであると判定した場合、
および／または、
前記カメラモジュールが接続されていないと判定した場合に、
前記カメラモジュールの撮影不可を警告するよう制御するようにすることが好ましい。
【００２８】
また本発明の携帯端末装置は、
前記カメラモジュールは、撮影補助光源を有し、
前記制御部は、
前記接続部に接続される前記カメラモジュールの撮像方向を判定したり、
前記撮影補助光源の光量を変更するよう制御するようにすることが好ましい。
【００２９】
また本発明のカメラモジュールは、
携帯端末装置に対し少なくとも２つの接続方向で接続して撮影可能なカメラモジュールであって、
接続方向を変更して接続する際に互いに接続位置が入れ替わるよう対称的に配置される複数のプラグを備え、
前記複数のプラグは、
信号伝送を行う信号用ラインと前記接続方向を特定する検出用ラインとを含み、
少なくとも前記検出用ラインは、前記接続方向を変更して接続する際に互いに対応するプラグのライン同士で異なる特性を有することを特徴とするものである。
【発明の効果】
【００３０】
このような本発明の携帯端末装置及びカメラモジュールによれば、簡単な構成により、ユーザー自身を撮影するときも、ユーザー以外の物や人を撮影するときも、画像表示部にこれから撮影する画像を表示させて、ユーザーが画像表示部に表示されている画像を見ながら撮影動作を行うことができる。
【発明を実施するための最良の形態】
【００３１】
以下、本発明の実施の形態について、図面に基づいて具体的に説明する。
図１ないし７は、本発明による携帯端末装置及びカメラモジュールの一実施の形態について説明するために参照する図である。
【００３２】
図１は、本発明の一実施の形態に係る携帯電話機１００（携帯端末装置に相当する）を示す図であり、この携帯電話機１００は、第１筐体１０２と第２筐体１０４の２つの筐体から構成されている。これらの第１筐体１０２と第２筐体１０４は、軸部１０５を中心にして互に相対回動することができる。
【００３３】
すなわち、第１筐体１０２と第２筐体１０４は、ほぼ全体にわたって互に重なっている閉状態から、第２筐体１０４に対して第１筐体１０２を図中矢印方向に回動させて、第２筐体１０４が見えるようにすることにより開状態にすることができる。
【００３４】
第１筐体１０２の第２筐体１０４と反対側の面にはＬＣＤ表示部１０６(請求項における画像表示部に相当する)が設けられ、第２筐体１０４の第１筐体１０２側の面には各種キーにより構成される操作部１０８が設けられている。
【００３５】
第２筐体１０４の、軸部１０５と反対側の先端部には、カメラモジュール１１０が脱着自在に設けられている。すなわち、カメラモジュール１１０の第２筐体１０４側には２本のピンプラグ１１２，１１３が設けられ、この２本のピンプラグ１１２，１１３が第２筐体１０４の２つのプラグ穴Ｈ１，Ｈ２（図３参照）に差し込まれることにより、カメラモジュール１１０と携帯電話機１００は電気的に接続される。
【００３６】
また、軸部１０５から第２筐体１０４の軸部１０５と反対側の先端部までの長さ（第２筐体１０４の長さ）は、第１筐体１０２と重なる閉状態においては、軸部１０５から第１筐体１０２の軸部１０５と反対側の先端部までの長さ（第１筐体１０２の長さ）より、ほぼカメラモジュール１１０の長さ分だけ短くなっており、第２筐体１０４の先端部にカメラモジュール１１０を取り付けたときは、第１筐体１０２の長さは、第２筐体１０４とカメラモジュール１１０の長さを足した長さとほぼ同じになり、閉状態では第１筐体１０２の軸部１０５と反対側の先端部と、カメラモジュール１１０の第２筐体１０４と反対側の先端部がほぼ同じ位置になる。つまり、カメラ１１６の撮影窓が第１筐体の軸部１０５の反対側の先端部にて覆われることとなる。
【００３７】
また、カメラモジュール１１０にはカメラ１１６（撮像部）が設けられると共に、その隣にはストロボ１１８（撮影補助光源）が設けられている。
【００３８】
図１においては、第２筐体１０４の先端部に装着されたカメラモジュール１１０のカメラ１１６は、ユーザーの方に向いているが、カメラモジュール１１０を第２筐体１０４から取り外し、カメラモジュール１１０を裏返して２本のピンプラグ１１２，１１３の位置を入れ替えてから、また第２筐体１０４の２つのプラグ穴Ｈ１，Ｈ２に取り付けると、カメラ１１６はユーザーとは反対側に向くようになっている。
【００３９】
図２に示すように、ピンプラグ１１２と１１３は同形状であり、さらにピンプラグ１１２には制御ラインＡ〜Ｅが設けられ、ピンプラグ１１３には制御ラインａ〜ｅが設けられている。そして、図３に示すように、第２筐体１０４の絶縁体に設けた２つのプラグ穴Ｈ１，Ｈ２（接続部）の内側にも、ピンプラグ１１２，１１３の各制御ラインＡ〜Ｅ，ａ〜ｅに対応する接点の端子Ａ’〜Ｅ’，ａ’〜ｅ’が設けられている。
【００４０】
上記制御ラインＡ〜Ｅの各々と制御ラインａ〜ｅの各々は、上記接点の端子Ａ’〜Ｅ’の各々と接点の端子ａ’〜ｅ’の各々と接触することにより、図４に示すように、カメラモジュール１１０を第２筐体１０４へ取り付けた時に、第２筐体１０４内の制御部１０７に通電接続されるようになっている。
【００４１】
すなわち、制御ラインＡとａ、Ｂとｂ、Ｃとｃ、Ｄとｄは、それぞれ対となって、第２筐体１０４へのカメラモジュール１１０の取り付け時に、第２筐体１０４内の制御部１０７に通電接続されるようになっている。
【００４２】
これらの制御ラインの種類としては、例えば少なくとも、携帯電話機１００からカメラモジュール１１０に電力を供給する電力用ライン、携帯電話機１００でカメラモジュール１１０をコントロールするコントロールライン、携帯電話機１００とカメラモジュール１１０との間で信号伝送を行うための信号用ライン、第２筐体１０４に対するカメラモジュール１１０の裏表の向きを検出するための検出用ラインがある。
【００４３】
第２筐体１０４に対するカメラモジュール１１０の裏表の向きを検出するための検出用ラインとしては、ピンプラグ１１２，１１３の制御ラインＥ，ｅがあり、制御ラインＥの方はＧＮＤ（グランド、接地）、制御ラインｅの方はＯＰＥＮ（オープン、非接地）となっているので（この逆でもよい）、ピンプラグ１１２，１１３が入れ替わって制御ラインＥ，ｅが入れ替わると、第２筐体１０４に対するカメラモジュール１１０の裏表の向きが変わったことを、制御ラインＥ，ｅのいずれにより通電できたのかを判別することにより、制御部１０７は検出することができる。
【００４４】
なお、本実施の形態においては、ピンプラグ１１２，１１３の両方に各制御ラインを設けるように構成されているが、ピンプラグ１１３の各制御ラインａ〜ｅのうちのいずれか、もしくは全部をＯＰＥＮにし、ピンプラグ１１２にのみ各制御ラインＡ〜Ｅを設けてＧＮＤにすることによっても、制御部１０７はカメラモジュール１１０の裏表の向きを検出することができる。
【００４５】
また、本実施の形態においては、ピンプラグ１１２の各制御ラインＡ〜Ｄが第２筐体１０４のプラグ穴Ｈ１内の接点の端子Ａ’〜Ｄ’に接触し、ピンプラグ１１３の各制御ラインａ〜ｄがプラグ穴Ｈ２内の接点の端子ａ’〜ｄ’に接触することにより、各制御ラインを電力用ライン、信号用ライン等に用いているが、プラグ穴Ｈ１内に接点の端子Ａ’〜Ｄ’があれば、プラグ穴Ｈ２内に接点の端子ａ’〜ｄ’がなくとも、カメラモジュール１１０を裏返して第２筐体１０４に取り付けた場合に、プラグ穴Ｈ１内の接点の端子Ａ’〜Ｄ’にピンプラグ１１３の各制御ラインａ〜ｄが接触するので、やはり同様に各制御ラインを電力用ライン、信号用ライン等に用いることができる。
【００４６】
このとき、ピンプラグ１１２のＧＮＤの制御ラインＥとプラグ穴Ｈ１内の接点の端子Ｅ’、ピンプラグ１１３のＯＰＥＮの（この逆でもよい）制御ラインｅとプラグ穴Ｈ２内の接点の端子ｅ’は必要である。
【００４７】
また、本実施の形態においては、ピンプラグ１１２，１１３の両方に、電力用ライン、信号用ライン等に用いられる各制御ラインＡ〜Ｄ，ａ〜ｄが設けられ、プラグ穴Ｈ１，Ｈ２内に接点の端子Ａ’〜Ｄ’，ａ’〜ｄ’が設けられているが、これに対して、ピンプラグ１１２のみに電力用ライン、信号用ライン等に用いられる各制御ラインＡ〜Ｄを設けて、ピンプラグ１１３の方の各制御ラインａ〜ｄを全てＯＰＥＮにしても、プラグ穴Ｈ１，Ｈ２内に接点の端子Ａ’〜Ｄ’，ａ’〜ｄ’が設けられていれば、やはり同様に各制御ラインＡ〜Ｄを電力用ライン、信号用ライン等に用いることができる。
【００４８】
このときも、ピンプラグ１１２のＧＮＤの制御ラインＥとプラグ穴Ｈ１内の接点の端子Ｅ’、ピンプラグ１１３のＯＰＥＮの（この逆でもよい）制御ラインｅとプラグ穴Ｈ２内の接点の端子ｅ’は必要である。
【００４９】
カメラモジュール１１０は、図４にも示すように、カメラ１１６とストロボ１１８を有しており、これらは制御チップ１２０及びピンプラグ１１２，１１３を介して第２筐体１０４内の制御部１０７と接続されるようになっている。カメラモジュール１１０においては制御チップ１２０にさらに、カメラ情報メモリ１２２（性能情報記録手段に相当する）が接続されており、このカメラ情報メモリ１２２には、カメラモジュール１１０の性能に関する情報（画素数、ＣＭＯＳ／ＣＣＤ、ズームの有無、コントロールコマンド形式等）がコード化して記憶されている。
【００５０】
また、第２筐体１０４内のメモリ１１５には、異なる画素数に係る複数のコードのテーブルが記憶されている。例えば１０万画素、３３万画素、１００万画素等に係る各コードが記憶されている。このメモリ１１５の各コードは、画素数が変えられた際にも、同じＬＣＤ表示部１０６に撮影画像が表示できるよう制御するソフトウエアや、最適な圧縮方法等も対応づけられて、記憶されている。
【００５１】
次に、本実施の形態に係る携帯電話機１００のカメラモジュール１１０に関する動作手順について、図５のフローチャートに基づいて説明する。
【００５２】
まず携帯電話機１００のカメラ起動スイッチをＯＮにすると（ステップＳ１）、制御部１０７は、第２筐体１０４にカメラモジュール１１０が接続されているか判別し（ステップＳ２）、ＹＥＳと判別したら携帯電話機１００（制御部１０７）とカメラモジュール１１０（制御チップ１２０）間で通信を行い、カメラの画素数等の情報がカメラ情報メモリ１２２から携帯電話機１００の制御部１０７に送られると共に、制御部１０７はピンプラグ１１２，１１３の検出用ラインＥ，ｅのいずれがＯＰＥＮになっているかにより、カメラ１１６が裏表どちらに向いているかを判別し、さらに携帯電話機１００において画像データ処理設定（ステップＳ３）、フラッシュ光量設定（ステップＳ４）等の初期設定が行われるよう制御する。
【００５３】
ステップＳ２において、制御部１０７は、第２筐体１０４にカメラモジュール１１０が接続されていない（ＮＯ）と判別すると、モジュール未接続の旨の警告を音や画像により発生または表示する（ステップＳ５）。
【００５４】
制御部１０７は、携帯電話機１００が第２筐体１０４と第１筐体１０２が重なる閉状態（クローズ状態）であって、かつカメラモジュール１１０のカメラ１１６が第１筐体１０２側に向いているかの判別を行い（ステップＳ６）、ＹＥＳと判別するとその旨（カメラモジュール１１０の向きが逆）の警告を、音や画像により発生または表示する（ステップＳ７）。
【００５５】
ステップＳ６においてＮＯと判別されたら、カメラモジュール１１０の初期設定（ステップＳ３）に応じた画像データ処理をしたカメラ１１６が今撮っている画像（通常カメラのファインダ画像に相当）を、携帯電話機１００のＬＣＤ表示部１０６に表示（ビュー表示）する（ステップＳ８）。
【００５６】
そして、カメラ１１６のシャッタースイッチが押されたときは（ステップＳ９のＹＥＳ）、前記初期設定（ステップＳ４）に応じたストロボ１１８のフラッシュ光量で写真撮影を行い（ステップＳ１０）、前記初期設定（ステップＳ３）に応じた画像データ処理を行ってから（ステップＳ１１）、撮影画像がＬＣＤ表示部１０６に表示される（ステップＳ１２）。
【００５７】
図６は、図５のフローチャートにおけるステップＳ３の画像データ処理設定の処理内容を詳しく説明するフローチャートである。上記画像データ処理設定は、まず、制御部１０７がカメラモジュール１１０のカメラ１１６の画像数をカメラモジュール１１０からの信号により検出し（ステップＳ３１）、その画素数が携帯電話機１００のＬＣＤ表示部１０６の画素数より大きいかを制御部１０７は判別する（ステップＳ３２）。
【００５８】
カメラモジュール１１０のカメラ１１６の画素数が携帯電話機１００のＬＣＤ表示部１０６の画素数より大きいときは（ステップ３２のＹＥＳ）、携帯電話機１００は制御部１０７により画像データ抽出モードに設定される（ステップＳ３３）。
【００５９】
例えば、画素数に伴い撮影画像のサイズも変更される場合、ＶＧＡサイズの撮影カメラで撮った画像は、ＱＶＧＡサイズの４倍なので、ＱＶＧＡサイズのＬＣＤ表示部１０６では表示しきれないので、カメラ１１６で撮った画像の中からその４分の１の大きさ部分を抽出してＬＣＤ表示部１０６に表示させたり、或は４分の１の大きさに縮小してＬＣＤ表示部１０６に表示させるようなモードに設定される。
【００６０】
カメラモジュール１１０のカメラ１１６の画素数が携帯電話機１００のＬＣＤ表示部１０６の画素数より大きくないときは（ステップＳ３２のＮＯ）、今度は、カメラ１１６の画素数がＬＣＤ表示部１０６の画素数より小さいかを判別する（ステップＳ３４）。このステップＳ３４において、ＹＥＳと判別されたときは、画像データ補間モードに設定される（ステップＳ３５）。
【００６１】
例えば、画素数に伴い撮影画像のサイズも変更される場合、ＱＶＧＡサイズのカメラ１１６で撮った画像は、ＶＧＡサイズの４分の１なので、ＶＧＡサイズのＬＣＤ表示部１０６では大きすぎるため、カメラ１１６で撮った画像をＬＣＤ表示部１０６の中央部に表示し、周囲の余った部分は白地にしたり、装飾枠を表示させたり、或は、４倍の大きさに拡大してＬＣＤ表示部１０６に表示させるようなモードに設定される。
【００６２】
ステップＳ３４において、カメラモジュール１１０のカメラ１１６の画素数が携帯電話機１００のＬＣＤ表示部１０６の画素数より小さくない（ＮＯ）と判別されたときは、ステップＳ３２をも含めて判断すると両者の画素数は等しいことになるので、この場合は、画像データ未変更処理モードに設定される（ステップＳ３６）。
【００６３】
上記画像データ未変更処理モードとは、前記画像データ抽出モード（ステップＳ３３）も、前記画像データ補間モード（ステップＳ３５）も行わず、カメラ１１６で撮った画像をそのままの大きさでＬＣＤ表示部１０６に表示させるモードに設定されるものである。
【００６４】
図７は、図５のフローチャートにおけるステップＳ４の、フラッシュ光量設定の処理内容を詳しく説明するフローチャートである。上記フラッシュ光量設定は、制御部１０７がまず、カメラモジュール１１０のカメラ１１６の向きを判別する（ステップＳ４１）。
【００６５】
このとき、カメラモジュール１１０のカメラ１１６がユーザーの方向に向いていると判別されたときは（ステップＳ４２のＹＥＳ）、被写体が至近距離であることや、明るい場所にいること等を考慮して、ストロボ１１８からのフラッシュ光量が最小となるモードに設定される（ステップＳ４３）。
【００６６】
ステップＳ４２において、カメラ１１６がユーザーの方に向いていない（ＮＯ）と判別されたときは、カメラ１１６はユーザーと反対の方に向いているので、被写体がユーザーよりも遠距離であることや、明かりが届きにくいこと等を考慮して、ストロボ１１８からのフラッシュ光量が最大となるモードに設定される（ステップＳ４４）。
【００６７】
なお、前記実施の形態においては、携帯電話機１００が第２筐体１０４に対して第１筐体１０２が軸部１０５を中心にして回動することにより開閉するタイプの携帯端末装置について説明したが、このようなタイプの携帯端末装置に限定する必要はなく、例えば２つの筐体がヒンジにより貝のように開閉するような、他のタイプの携帯端末装置についても、本発明は適用することが可能である。
【００６８】
また、カメラモジュール１１０が第２筐体１０４に装着される例に基づいて説明したが、これに限定する必要はなく、カメラモジュール１１０が第１筐体１０２に装着されるよう構成してもよい。
また、撮影補助光源としてストロボを一例として示したが、ＬＥＤ等で構成されたライト等であってもよい。
【００６９】
また、前記実施の形態においては、携帯電話機１００について説明したが、ＰＤＡ（Ｐｅｒｓｏｎａｌ  Ｄｉｇｉｔａｌ  Ａｓｓｉｓｔａｎｔ）のような、他のタイプの携帯端末装置についても本発明は適用することが可能である。
【００７０】
以上説明したように、本発明の本実施の形態によれば、ユーザー自身を撮影するときも、ユーザー以外の物や人を撮影するときも、画像表示部にこれから撮影する画像を表示させて、ユーザーが画像表示部に表示されている画像を見ながら撮影動作を行うことができる。
【００７１】
また、カメラを容易に交換することができる携帯端末装置を提供することができる。
また、カメラモジュール１１０やカメラ１１６が携帯電話機１００から突き出すようにはなっていないので、万が一携帯電話機１００を落下させたときにもカメラモジュール１１０が容易に破損してしまうことを防止することができる。
【００７２】
また、カメラモジュール１１０が脱着自在となっているので、携帯電話機１００本体の組立て工数、材料コスト、重量等の増加を防止することができる。
さらに、交換用部品として、上述したカメラモジュール１１０のみを販売したり、補修用部品として用意するサービスも行える上、様々な用途や予算に応じたカメラモジュールをユーザーに選択させることもできる。この場合、使用する携帯電話機１００等の携帯端末装置を買い換える必要もないため、ユーザーにとっては操作性に大きな変更がなくて済む。
【００７３】
また、カメラモジュール１１０のストロボ１１８の光量を自動的に最適な値に調整することができる。
さらに、カメラモジュール１１０のカメラ１１６を使用しない場合は、カメラ１１６を第１筐体１０２の方に向くように第２筐体１０４に取り付けておくことにより、カメラ１１６が外側に向いているときのようにそのレンズが傷つきやすくなるのを防止することができる。
【図面の簡単な説明】
【００７４】
【図１】本発明の一実施の形態に係る携帯電話機１００の第２筐体１０４とカメラモジュール１１０の脱着の様子を示す斜視図である。
【図２】２本のピンプラグ１１２，１１３を示すカメラモジュール１１０の部分拡大図である。
【図３】第２筐体１０４のプラグ穴Ｈ１，Ｈ２にカメラモジュール１１０のピンプラグ１１２，１１３が挿着した状態を示す断面図である。
【図４】携帯電話機１００の第２筐体１０４にカメラモジュール１１０が装着された状態における回路の一部を示すブロック図である。
【図５】図４における携帯電話機１００の動作手順を示すフローチャートである。
【図６】図５のフローチャートにおけるステップＳ３の画像のデータ処理設定の処理内容を詳しく示すフローチャートである。
【図７】図５のフローチャートにおけるステップＳ４のフラッシュ光量設定の処理内容を詳しく示すフローチャートである。
【図８】第１の従来例に係る携帯電話機２０を示すその正面図である。
【図９】図８における携帯電話機２０の背面図である。
【図１０】第２の従来例に係る携帯電話機４０を示すその背面図である。
【図１１】第３の従来例に係る携帯電話機５０を示すその背面図である。
【図１２】第４の従来例に係る携帯電話機６０を示すその正面図である。
【図１３】第５の従来例に係る携帯電話機７０を示すその正面図である。
【図１４】図１３における携帯電話機７０の背面図である。
【図１５】第６の従来例に係る携帯電話機８０を示すその正面図である。
【符号の説明】
【００７５】
２０  携帯電話機
２２  ＬＣＤ表示部
２４  第１筐体
２６  操作ボタン
２８  第２筐体
３０  ヒンジ部
３２  イヤースピーカー
３４  マイクロホン
３６，３７  カメラ
４０  携帯電話機
４２  補助表示部
５０  携帯電話機
５２  ミラー
６０，７０  携帯電話機
７２  回転カメラ
８０  携帯電話機
８２  カメラモジュール
８４  首部
１００  携帯電話機
１０２  第１筐体
１０４  第２筐体
１０５  軸部
１０６  ＬＣＤ表示部
１０７  制御部
１１０  カメラモジュール
１１２，１１３  ピンプラグ
１１５  メモリ
１１６  カメラ
１１８  ストロボ
１２０  制御チップ
１２２  カメラ情報メモリ
【図１】
2005150960.tif 000003
【図２】
2005150960.tif 000004
【図３】
2005150960.tif 000005
【図４】
2005150960.tif 000006
【図５】
2005150960.tif 000007
【図６】
2005150960.tif 000008
【図７】
2005150960.tif 000009
【図８】
2005150960.tif 000010
【図９】
2005150960.tif 000011
【図１０】
2005150960.tif 000012
【図１１】
2005150960.tif 000013
【図１２】
2005150960.tif 000014
【図１３】
2005150960.tif 000015
【図１４】
2005150960.tif 000016
【図１５】
2005150960.tif 000017